(57)【要約】【課題】小型で、高い音響性能のプロジェクタを提供すること。【解決手段】第１基板１０２Ｒの第１面１０２Ｒａ上に設けられている第１色光用光源部１０１Ｒと、第２基板１０２Ｇの第１面１０２Ｇａ上に設けられている第２色光用光源部１０１Ｇと、第３基板１０２Ｂの第１面１０２Ｂａ上に設けられている第３色光用光源部１０１Ｂと、各色光用空間光変調装置１０４Ｒ、１０４Ｇ、１０４Ｂと、導光光学系１０３Ｒ、１０３Ｇ、１０３Ｂと、第１色光、第２色光、第３色光を合成する色合成光学系１０５と、投写レンズ１０６と、効果音を発生する音響発生部１０８と、を有し、第１基板１０２Ｒの第２面１０２Ｒｂと、第２基板１０２Ｇの第２面１０２Ｇｂと、第３基板１０２Ｂの第２面１０２Ｂｂとで一定の空間１０７を形成するように構成し、音響発生部１０８は、効果音を一定の空間１０７の方向Ｓへ発生する。【選択図】        図１
2005142651.tif 000002
【特許請求の範囲】
【請求項１】
第１面と第２面とを有する第１基板の前記第１面上に設けられている第１色光を供給する第１色光用光源部と、
第１面と第２面とを有する第２基板の前記第１面上に設けられている第２色光を供給する第２色光用光源部と、
第１面と第２面とを有する第３基板の前記第１面上に設けられている第３色光を供給する第３色光用光源部と、
前記第１色光を画像信号に応じて変調する第１色光用空間光変調装置と、
前記第２色光を画像信号に応じて変調する第２色光用空間光変調装置と、
前記第３色光を画像信号に応じて変調する第３色光用空間光変調装置と、
前記各色光用光源部からの光を、それぞれ前記各色光用空間光変調装置へ導くための導光光学系と、
前記各色光用空間光変調装置でそれぞれ変調された前記第１色光、前記第２色光、前記第３色光を合成する色合成光学系と、
変調された光を投写する投写レンズと、
効果音を発生する音響発生部と、を有し、
前記第１基板の前記第２面と、前記第２基板の前記第２面と、前記第３基板の前記第２面とで一定の空間を形成するように構成し、
前記音響発生部は、前記効果音を前記一定の空間の方向へ発生することを特徴とするプロジェクタ。
【請求項２】
前記一定の空間は、前記効果音を共鳴させるダクト構造を有することを特徴とする請求項１に記載のプロジェクタ。
【請求項３】
前記音響発生部は、前記一定の空間内において、前記各色光用光源部を冷却するための冷却用流体を流動させることを特徴とする請求項１又は２に記載のプロジェクタ。
【請求項４】
前記音響発生部が前記効果音を発生する方向と、前記導光光学系が導光する方向とは略直交することを特徴とする請求項１〜３のいずれか一項に記載のプロジェクタ。
【発明の詳細な説明】
【技術分野】
【０００１】
本発明は、プロジェクタ、特に光源部として固体発光素子を用いるプロジェクタの技術に関する。
【背景技術】
【０００２】
プロジェクタは、プレゼンテーションや、ホームシアター等の用途に用いられる。今後、プロジェクタは、画質のみならず用途に応じて効果音の音響性能についても重要視されるものと考えられる。プロジェクタの音響性能を向上させる構造に関しては、従来何ら提案されていない。
【発明の開示】
【発明が解決しようとする課題】
【０００３】
プロジェクタの効果音のうち、特に低音を再生するためには、大型のスピーカを設けることを要する。しかしながら、小型なプロジェクタに大型のスピーカを設けることは困難である。このように、プロジェクタの小型化という観点からは、プロジェクタを音響ユースに耐え得る構造とすることは困難であるという問題がある。本発明は、上述の問題に鑑みてなされたものであり、小型で、高い音響性能のプロジェクタを提供することを目的とする。
【課題を解決するための手段】
【０００４】
上述した課題を解決し、目的を達成するために、本発明によれば、第１面と第２面とを有する第１基板の第１面上に設けられている第１色光を供給する第１色光用光源部と、第１面と第２面とを有する第２基板の第１面上に設けられている第２色光を供給する第２色光用光源部と、第１面と第２面とを有する第３基板の第１面上に設けられている第３色光を供給する第３色光用光源部と、第１色光を画像信号に応じて変調する第１色光用空間光変調装置と、第２色光を画像信号に応じて変調する第２色光用空間光変調装置と、第３色光を画像信号に応じて変調する第３色光用空間光変調装置と、各色光用光源部からの光を、それぞれ各色光用空間光変調装置へ導くための導光光学系と、各色光用空間光変調装置でそれぞれ変調された第１色光、第２色光、第３色光を合成する色合成光学系と、変調された光を投写する投写レンズと、効果音を発生する音響発生部と、を有し、第１基板の第２面と、第２基板の第２面と、第３基板の第２面とで一定の空間を形成するように構成し、音響発生部は、効果音を一定の空間の方向へ発生することを特徴とするプロジェクタを提供することができる。
【０００５】
固体発光素子は小型な発光体である。このため、固体発光素子は、小型なプロジェクタの光源部としての使用に適している。本発明では、第１色光用光源部は、第１基板の第１面上に設けられている。第２色光用光源部と第３色光用光源部とは、それぞれ第２基板、第３基板の第１面上に設けられている。第１基板、第２基板、及び第３基板の第２面側には各色光用光源部は形成されてない。第１基板、第２基板、及び第３基板は、それぞれの第２面側を用いて一定の空間を形成するようにして固着されている。音響発生部は、各基板によって形成された一定の空間の方向へ効果音を発生する。効果音を一定の空間の方向へ発生することにより、空間において効果音を増強することができる。このため、大型なスピーカを設けなくても音響性能を向上することができる。また、効果音を増強するための空間を第１基板、第２基板、第３基板により構成することから、プロジェクタを空間的な無駄がないコンパクトな構成にすることができる。これにより、小型で、高い音響性能のプロジェクタを得られる。
【０００６】
また、本発明の好ましい態様によれば、一定の空間は、効果音を共鳴させるダクト構造を有することが望ましい。音響発生部からの効果音をダクト構造内で共鳴させることにより、効果音の音響性能を高くすることができる。これにより、高い音響性能を得られる。
【０００７】
また、本発明の好ましい態様によれば、音響発生部は、一定の空間内において、各色光用光源部を冷却するための冷却用流体を流動させることが望ましい。音響発生部から発生する疎密波を利用することにより、一定の空間内の流体、例えば空気を撹拌、呼吸させることができる。これにより、高い音響性能に加えて、高い放熱効果を得られる。
【０００８】
また、本発明の好ましい態様としては、音響発生部が効果音を発生する方向と、導光光学系が導光する方向とは略直交することが望ましい。音響発生部が効果音を発生する方向と、導光光学系が導光する方向とが略直交する構成とすることにより、導光光学系と音響発生部とを容易に分離できる。これにより、プロジェクタの周辺部分の設計が容易になる。
【発明を実施するための最良の形態】
【０００９】
以下に図面を参照して、本発明の実施例を詳細に説明する。
【実施例１】
【００１０】
図１は、実施例１に係るプロジェクタの斜視構成を示す。本実施例のプロジェクタ１００は、各色光用光源部に、固体発光素子である発光ダイオード（以下、「ＬＥＤ」という。）素子を用いる。第１色光用光源部であるＲ光用光源部１０１Ｒは、第１色光である赤色光（以下、「Ｒ光」という。）を供給する。Ｒ光用光源部１０１Ｒは、複数のＲ光用ＬＥＤ素子が第１基板１０２Ｒの第１面１０２Ｒａ上にアレイ状に設けられている。同様に、Ｇ光用光源部１０１Ｇは、第２色光である緑色光（以下、「Ｇ光」という。）を供給する。Ｇ光用光源部１０１Ｇは、複数のＧ光用ＬＥＤ素子が第２基板１０２Ｇの第１面１０２Ｇａ上にアレイ状に設けられている。さらに、Ｂ光用光源部１０１Ｂは、第３色光である青色光（以下、「Ｂ光」という。）を供給する。Ｂ光用光源部１０１Ｂは、複数のＢ光用ＬＥＤ素子が第３基板１０２Ｂの第１面１０２Ｂａ上にアレイ状に設けられている。
【００１１】
まず、Ｒ光について説明する。Ｒ光用光源部１０１ＲからのＲ光は、導光光学系である台形プリズム１０３Ｒへ底面から入射する。図２に示すように、台形プリズム１０３Ｒの底面から入射したＲ光は、斜面１０３Ｒａで反射されて。光路を９０°折り曲げられる。反射されたＲ光は、導光方向ｄ１に沿って台形プリズム１０３Ｒ内を進行する。そして、斜面１０３Ｒｂで反射され、再度光路を９０°折り曲げられる。さらに、台形プリズム１０３Ｒ内を進行したＲ光は、底面から射出する。ここで、台形プリズム１０３Ｒのロッド部分はインテグレータとしての機能を兼用することもできる。図２では、簡単のために台形プリズム１０３Ｒのロッド部分を短くして図示しているが、インテグレータの機能を奏するためには十分な長さにすることが望ましい。台形プリズム１０３Ｒの底面の近傍には、第１色光用空間光変調装置である透過型のＲ光用液晶表示装置１０４Ｒが設けられている。Ｒ光用液晶表示装置１０４Ｒは、入射光を画像信号に応じて変調して射出する。
【００１２】
Ｇ光用光源部１０１ＧからのＧ光についても、台形プリズム１０３Ｇを経て、Ｇ光用液晶表示装置１０４Ｇで変調される。Ｂ光用光源部１０１ＢからのＢ光も同様に、台形プリズム１０３Ｂを経て、Ｂ光用液晶表示装置１０４Ｂで変調される。各色光用液晶表示装置で変調されたＲ光、Ｇ光、Ｂ光は、それぞれ異なる面からクロスダイクロイックプリズム１０５へ入射する。
【００１３】
クロスダイクロイックプリズム１０５は、第１のダイクロイック膜１０５ａと第２のダイクロイック膜１０５ｂとをＸ字状に配列して構成されている。第１のダイクロイック膜１０５ａは、Ｒ光を反射し、Ｇ光を透過する。第２のダイクロイック膜１０５ｂは、Ｂ光を反射し、Ｇ光を透過する。これにより、変調された各色光は、合成されて投写レンズ１０６の方向へ射出される。投写レンズ１０６は、変調された各色光を不図示のスクリーンに投写する。これにより、フルカラー像を得ることができる。
【００１４】
図２は、プロジェクタ１００をＸＹ面から見た構成を示す。第１基板１０２Ｒの第２面１０２Ｒｂと、第２基板１０２Ｇの第２面１０２Ｇｂと、第３基板１０２Ｂの第２面１０２Ｂｂとは、一定の空間１０７を形成するように構成されている。好ましくは、さらに第２基板１０２Ｇに対向する位置に基板を設け、４つの基板により、断面形状が略正方形の空間１０７を形成することが望ましい。音響発生部１０８は、一定の空間１０７に蓋をするようにして、４つの基板に密着させて設けられている。４つの基板と音響発生部１０８とを密着させることにより、空間１０７は、方向Ｓに開口を有する他は密閉され、略気密が保たれている。このようにして形成された空間１０７は、音響ダクトとして機能することができる。
【００１５】
音響発生部１０８は、効果音を、一定の空間１０７の方向Ｓへ発生する。音響発生部１０８が効果音を発生する方向Ｓは、Ｙ軸方向に略同一である。空間１０７は音響ダクトとして機能することから、空間１０７で効果音を共鳴させて増強することが可能となる。このため、大型なスピーカを設けなくても音響性能を向上することができる。また、空間１０７は各基板１０２Ｒ、１０２Ｇ、１０２Ｂを用いて構成することから、プロジェクタ１００を、空間的な無駄がないコンパクトな構成にすることができる。これにより、小型で、高い音響性能のプロジェクタを得られるという効果を奏する。
【００１６】
本実施例の音響発生部１０８は、各基板１０２Ｒ、１０２Ｇ、１０２Ｂのクロスダイクロイックプリズム１０５側（プラスＹ軸方向）に設けられているが、音響発生部１０８の位置は、クロスダイクロイックプリズム１０５とは反対側（マイナスＹ軸方向）に設けることとしても良い。音響発生部１０８をクロスダイクロイックプリズム１０５とは反対側に設けても、上述と同様の効果を得られる。音響発生部１０８としては、従来のプロジェクタに設けられるものを用いることができる。さらに、プロジェクタ１００は、効果音を低音域、及び中高音域に分けて増幅し、それぞれを複数のスピーカを用いて再生することとしても良い。複数のスピーカを用いることにより、効率良く大きな音響出力と、混変調歪みのないクリアな再生音とを得ることができる。
【００１７】
特に、音響発生部１０８として低音再生専用のスピーカ（サブウーファ、スーパーウーファ）を用いると、空間１０７において低音を増強し、迫力のある効果音を得ることができる（３Ｄシステム）。また、空間１０７が開放されている方向Ｓへ効果音を発生させることから、開放的な音響の効果音を得ることができる。空間１０７は、ダクトにおける共振周波数が、例えば数十〜２００Ｈｚとなるように設計することが好ましい。このようにして一定の空間１０７を設けることにより、低音を効果的に増幅することができる。また、各基板１０２Ｒ、１０２Ｇ、１０２Ｂの第２面１０２Ｒｂ、１０２Ｇｂ、１０２Ｂｂを吸音性の部材とすると、高音の共鳴による耳障りなノイズ音の発生を防ぐことが可能となる。
【実施例２】
【００１８】
図３は、本発明の実施例２に係るプロジェクタの特徴的部分の断面構成を示す。上記実施例１のプロジェクタ１００と同一の部分には同一の符号を付し、重複する説明は省略する。本実施例のプロジェクタは、折曲構造の音響ダクト３０７を有することを特徴とする。音響ダクト３０７は、各基板１０２Ｒ、１０２Ｇ、１０２Ｂの第２面１０２Ｒｂ、１０２Ｇｂ、１０２Ｂｂにより形成される一定の空間に設けられている。音響ダクト３０７は、一定の空間に仕切り板を設けることによって管が折り曲げられたような折曲構造をなしている。音響発生部１０８からの効果音は、音響ダクト３０７の折曲構造を通過して、音響ダクト３０７の開口部３１７から外部へ伝播する。
【００１９】
音響ダクト３０７は、音響発生部１０８からの効果音の波長領域に応じて、共鳴可能なダクト長とすることが望ましい。音響ダクト３０７を折曲構造とすることにより、共鳴させる波長領域に応じて、ダクト長を適宜設定することができる。音響発生部１０８からの効果音を音響ダクト３０７で共鳴させることにより、音響性能を向上させることができる。これにより、高い音響効果を得られるという効果を奏する。音響ダクト３０７は、上記実施例１の一定の空間１０７と同様、共振周波数が、例えば数十〜２００Ｈｚとなるダクト長を有することが望ましい。このようにして音響ダクト３０７を設けることにより、低音を効果的に増幅することができる。
【実施例３】
【００２０】
図４は、本発明の実施例３に係るプロジェクタの特徴的部分の斜視構成を示す。図５は、図４に示す構成の断面構成を示す。上記実施例１のプロジェクタ１００と同一の部分には同一の符号を付し、重複する説明は省略する。本実施例のプロジェクタは、一定の空間１０７内において、各色光用光源部１０１Ｒ、１０１Ｇ、１０１Ｂを冷却するための空気を流動させることを特徴とする。本実施例において音響発生部としては、低音再生専用のスーパーウーファ４０８を用いることができる。スーパーウーファ４０８は、基板４０９の一定の空間１０７側に設けられている。
【００２１】
第２基板１０２Ｇに対向する位置には、基板４１０が設けられている。一定の空間１０７は、４つの基板１０２Ｒ、１０２Ｇ、１０２Ｂ、４１０により、断面形状が略正方形となるように形成されている。基板４０９は、一定の空間１０７に蓋をするようにして、４つの基板１０２Ｒ、１０２Ｇ、１０２Ｂ、４１０に密着させて設けられている。基板４０９及び４つの基板１０２Ｒ、１０２Ｇ、１０２Ｂ、４１０の構成により、空間１０７は、音響ダクトとして機能することができる。なお、図４は、スーパーウーファ４０８の構成を明確に示すために、４つの基板１０２Ｒ、１０２Ｇ、１０２Ｂ、４１０を破線で示している。
【００２２】
スーパーウーファ４０８は、効果音を一定の空間１０７の方向Ｓへ発生する。空間１０７は音響ダクトとして機能することから、空間１０７で効果音を増強することができる。さらに、スーパーウーファ４０８は、大きな疎密波を発生することにより、空間１０７の空気を効果音の発生方向Ｓと同一の方向Ｗへ押し出す。そして、方向Ｗへ空気を押し出した後、押し出した空気と略同一体積の空気が空間１０７に流入する。このようにしてスーパーウーファ４０８の疎密波を利用して空気の流出と流入とを繰り返すことにより、空間１０７の空気を撹拌、呼吸させる。
【００２３】
空間１０７の空気を撹拌、呼吸させることにより、各色光用光源部１０１Ｒ、１０１Ｇ、１０１Ｂ（図１参照）を冷却することができる。基板４０９が一定の空間１０７に蓋をするように設けられていることから、効率良く一定の空間１０７の空気を流動させることができる。このように、スーパーウーファ４０８は、効果音を発生する機能と、冷却用媒体を流動させる機能とを併せ持つ。これにより、高い音響性能に加えて、高い放熱効果を得られるという効果を奏する。
【００２４】
スーパーウーファ４０８は、コーン部を振動する構造としても良い。コーン部が振動すると、効果音による空気の流動に加えて、一定の空間１０７の空気を扇ぐ効果も得ることができる。このため、より高い放熱効果を得ることができる。スーパーウーファ４０８は、コーン部の振動を常時数Ｈｚで行う、あるいは各色光用光源部１０１Ｒ、１０１Ｇ、１０１Ｂの過熱時のみに行う等、設定を適宜行うことができる。
【実施例４】
【００２５】
図６は、本発明の実施例４に係るプロジェクタ６００の断面構成を示す。上記実施例１のプロジェクタ１００と同一の部分には同一の符号を付し、重複する説明は省略する。本実施例は、Ｇ光用光源部６０１ＧとＧ光用液晶表示装置６０４Ｇとが、導光光学系を介さずに、対向して設けられている。Ｇ光用光源部６０１Ｇは、第２基板６０２Ｇの第１面６０２Ｇａ側に設けられている。
【００２６】
クロスダイクロイックプリズム６０５は、第１のダイクロイック膜６０５ａと第２のダイクロイック膜６０５ｂとがＸＹ面内でＸ字形状となるように構成されている。これにより、各色光用液晶表示装置１０４Ｒ、６０４Ｇ、１０４Ｂで画像信号に応じて変調された光は、クロスダイクロイックプリズム６０５で合成されて、Ｙ軸に沿った方向へ射出される。そして、投写レンズ１０６は、変調された各色光を不図示のスクリーンに投写する。これにより、フルカラー像を得ることができる。
【００２７】
第１基板１０２Ｒの第２面１０２Ｒｂと、第２基板６０２Ｇの第２面６０２Ｇｂと、第３基板１０２Ｂの第２面１０２Ｂｂとは、一定の空間６０７を形成するように構成されている。好ましくは、さらに第２基板６０２Ｇに対向する位置に基板６１０を設け、４つの基板１０２Ｒ、６０２Ｇ、１０２Ｂ、６１０で断面形状が略正方形の一定の空間６０７を形成することが望ましい。音響発生部１０８は、一定の空間６０７に蓋をするようにして、４つの基板１０２Ｒ、６０２Ｇ、１０２Ｂ、６１０に密着させて設けられている。音響発生部１０８を４つの基板１０２Ｒ、６０２Ｇ、１０２Ｂ、６１０に密着させることにより、空間６０７は、方向Ｓに開口を有する他は密閉され、略気密が保たれている。このようにして形成された空間６０７は、音響ダクトとして機能することができる。
【００２８】
音響発生部１０８は、効果音を、空間６０７の方向Ｓへ発生する。空間６０７は音響ダクトとして機能することから、空間６０７で効果音を増強することができる。さらに、図６に示すように、空間６０７にフィン６０９を設け、上記実施例２で説明したような折曲構造のダクトを設けることとしても良い。これにより、高い音響性能のプロジェクタ６００を得られる。
【００２９】
上記実施例１において、音響発生部１０８が効果音を発生する方向ＳがＹ軸方向に略同一である。これに対して、本実施例において、音響発生部１０８が効果音を発生する方向Ｓは、Ｚ軸方向（紙面に垂直な方向）に略同一である。このように、音響発生部１０８から効果音を発生する方向Ｓと、導光光学系である台形プリズム１０３Ｒ、１０３Ｂ内を光が導光される方向ｄ１とは略直交する。これにより、台形プリズム１０３Ｒ、１０３Ｂと音響発生部１０８とを容易に分離できる。そして、プロジェクタ６００の周辺部分の設計を容易にできるという効果を奏する。
【００３０】
なお、音響発生部１０８は、図６に示す紙面の向こう側（マイナスＺ方向）から４つの基板１０２Ｒ、６０２Ｇ、１０２Ｂ、６１０に当接させる構成に限らず、紙面の手前側（プラスＺ方向）から各基板に当接させる構成としても良い。いずれの構成であっても、音響発生部１０８が効果音を発生する方向Ｓと、導光光学系１０３Ｒ、１０３Ｂが導光する方向ｄ１とを略直交する構成にできる。
【実施例５】
【００３１】
図７は、本発明の実施例５に係るプロジェクタ７００の平面構成を示す。上記実施例１のプロジェクタ１００と同一の部分には同一の符号を付し、重複する説明は省略する。本実施例のプロジェクタ７００は、各色光用光源部１０１Ｒ、１０１Ｇ、１０１Ｂと、クロスダイクロイックプリズム１０５とを、音響発生部１０８を介して当接させて構成されている。この場合、導光光学系として三角形プリズム７０３Ｒ、７０３Ｇ、７０３Ｂを用いる。このように音響発生部１０８を介して各色光用光源部１０１Ｒ、１０１Ｇ、１０１Ｂと、クロスダイクロイックプリズム１０５とを当接させて設けることにより、プロジェクタ７００を小型化できる。なお、上記各実施例において、導光光学系は、台形プリズムや三角形プリズムに限られず、ミラーで構成しても良い。
【実施例６】
【００３２】
図８は、本発明の実施例６に係るプロジェクタ８００の断面構成を示す。上記実施例１のプロジェクタ１００と同一の部分には同一の符号を付し、重複する説明は省略する。上記各実施例のプロジェクタは、ダクトに音響発生部を密着させることによりダクトの共鳴を利用する、いわゆる共鳴管型スピーカシステムを備えている。これに対して、本実施例のプロジェクタ８００は、筐体（エンクロージャ）８１３の内部の共鳴を利用する、いわゆるバスレフ（Ｂａｓｓ−Ｒｅｆｌｅｘ）型スピーカシステムを備えることを特徴とする。
【００３３】
プロジェクタ８００の筐体８１３には、冷却用流体である空気の流入を行う流入口８１１と、空気の流出を行う流出口８１２が設けられている。筐体８１３は、流入口８１１と、流出口８１２とを備える以外は全て密閉構造とすることにより、略気密が保たれている。流出口８１２は、略直方体形状のダクトにより構成される。流出口８１２の周辺には、Ｒ光用光源部８０１Ｒと、Ｇ光用光源部８０１Ｇと、Ｂ光用光源部（不図示）とが設けられている。Ｂ光用光源部は、図８において紙面の向こう側に設けられている。Ｒ光用光源部８０１Ｒと、Ｇ光用光源部８０１Ｇと、Ｂ光用光源部とは、それぞれ上記実施例１のＲ光用光源部１０１Ｒと、Ｇ光用光源部１０１Ｇと、Ｂ光用光源部１０１Ｂと同様に構成される。Ｒ光用光源部８０１Ｒの第１基板と、Ｇ光用光源部８０１Ｇの第２基板と、Ｂ光用光源部の第３基板（いずれも不図示）とは、流出口８１２のダクトの一部を構成している。
【００３４】
ファン８１０は、Ｒ光用光源部８０１Ｒと、Ｇ光用光源部８０１Ｇと、Ｂ光用光源部とに当接させ、流出口８１２のダクトに蓋をするように設けられている。ファン８１０は、略同心円上に設けられた複数の羽根部材を高速回転することにより、流出口８１２から方向Ｗ２へ空気を流出させる。流入口８１１は、流出口８１２とは異なる位置に設けられている。流出口８１２から空気を流出させることにより、流入口８１１から方向Ｗ１へ空気を流入させる。このようにして、筐体８１３内部の空気を撹拌、循環させることにより、筐体８１３内部、特に各色光用光源部を冷却することができる。なお、各色光用光源部からの各色光を投写する構成は上記実施例１と同様であるため、図示及び説明を省略する。
【００３５】
音響発生部１０８は、筐体８１３内部に設けられている。音響発生部１０８から発生する効果音は、筐体８１３内部において共鳴を起こし、特定の周波数、例えば数十〜２００Ｈｚの低音域が増強される。この場合、筐体８１３は、音響発生部１０８からの低音をダンピングしない程度の剛性を有する材質により構成することが望ましい。さらに好ましくは、筐体８１３は、肉厚で、慣性重量が大きな部材により構成することが望ましい。これにより、筐体８１３内部において効果音を十分に共鳴させることができる。増強可能な周波数は、流入口８１１及び流出口８１２のダクトの構成、例えば、位置、容積により、適宜変更可能である。
【００３６】
筐体８１３内部で増強された効果音は、流入口８１１と、流出口８１２とからそれぞれ方向Ｓへ進行する。なお、上述のように、ファン８１０は、複数の羽根構造を有する。このため、流出口８１２のダクトに蓋をするようにしてファン８１０を設けても、音響発生部１０８からの疎密波は、ファン８１０の羽根構造の間を通過して方向Ｓへ進行することができる。また、流入口８１１において、効果音の進行は、空気の流入に比較して非常に高速である。このため、効果音の進行方向Ｓと、空気の流入方向Ｗ１とが互いに逆向きであっても、効果音は方向Ｓへ進行することができる。
【００３７】
以上の構成により、音響発生部１０８からの効果音を増強することができる。特に、流入口８１１と流出口８１２とから効果音を外部へ進行させることから、開放的な効果音を得られる。また、各色光用光源部の各基板を用いて流出口８１２を構成することから、プロジェクタ８００を、空間的な無駄がないコンパクトな構成にすることができる。これにより、小型で、高い音響性能のプロジェクタを得られるという効果を奏する。さらに、筐体８１３内部において冷却用媒体を流動させることもできることから、高い放熱効果も得られる。
【００３８】
本実施例のプロジェクタ８００は、筐体８１３内部で効果音を共鳴させることから、音響発生部１０８の位置は、筐体８１３内部であればいずれの位置であっても良い。このため、プロジェクタ８００の構成に応じて音響発生部１０８の位置を適宜変更することができる。また、各色光用光源部は、流出口８１２周辺に設ける場合に限らず、流入口８１１周辺に設けることとしても良い。本実施例のプロジェクタ８００は、流入口８１１と流出口８１２との２つの開口部を設ける構成としているが、１つの開口部のみを設ける構成としても良い。この場合、１つの開口部を用いて空気の流入と流出とを同時に行うことにより、上述と同様の効果を得られる。
【００３９】
上記各実施例のプロジェクタは、３色光を用いる構成としているが、４色光を用いる構成としても良い。また、各色光用光源部に用いる固体発光素子としては、ＬＥＤに限らず、例えば、半導体レーザやエレクトロ・ルミネッセンス（ＥＬ）であっても良い。
【産業上の利用可能性】
【００４０】
以上のように、本発明に係るプロジェクタは、プレゼンテーションや動画を表示する場合に有用であり、特に、効果音とともに画像を表示する場合に適している。
【図面の簡単な説明】
【００４１】
【図１】実施例１に係るプロジェクタの斜視図。
【図２】実施例１に係るプロジェクタの平面図。
【図３】実施例２に係るプロジェクタの特徴的部分の断面図。
【図４】実施例３に係るプロジェクタの特徴的部分の斜視図。
【図５】図４に示す構成の断面図。
【図６】実施例４に係るプロジェクタの断面図。
【図７】実施例５に係るプロジェクタの平面図。
【図８】実施例６に係るプロジェクタの断面図。
【符号の説明】
【００４２】
１００  プロジェクタ、１０１Ｒ  Ｒ光用光源部、１０１Ｇ  Ｇ光用光源部、１０１Ｂ  Ｂ光用光源部、１０２Ｒ  第１基板、１０２Ｇ  第２基板、１０２Ｂ  第３基板、１０２Ｒａ、１０２Ｇａ、１０２Ｂａ  第１面、１０２Ｒｂ、１０２Ｇｂ、１０２Ｂｂ  第２面、１０３Ｒａ、１０３Ｒｂ  斜面、１０３Ｒ、１０３Ｇ、１０３Ｂ  台形プリズム、１０４Ｒ  Ｒ光用液晶表示装置、１０４Ｇ  Ｇ光用液晶表示装置、１０４Ｂ  Ｂ光用液晶表示装置、１０５  クロスダイクロイックプリズム、１０５ａ  第１のダイクロイック膜、１０５ｂ  第２のダイクロイック膜、１０６  投写レンズ、１０７  空間、１０８  音響発生部、３０７  音響ダクト、３１７  開口部、４０８  スーパーウーファ、４０９  基板、４１０  基板、６００  プロジェクタ、６０１Ｇ  Ｇ光用光源部、６０２Ｇ  第２基板、６０２Ｇａ  第１面、６０２Ｇｂ  第２面、６０４Ｇ  Ｇ光用液晶表示装置、６０５  クロスダイクロイックプリズム、６０５ａ  第１のダイクロイック膜、６０５ｂ  第２のダイクロイック膜、６０７  空間、６０９  フィン、６１０  基板、７００  プロジェクタ、７０３Ｒ、７０３Ｇ、７０３Ｂ  三角形プリズム、８００  プロジェクタ、８０１Ｒ  Ｒ光用光源部、８０１Ｇ  Ｇ光用光源部、８１０  ファン、８１１  流入口、８１２  流出口、８１３  筐体、ｄ１  導光方向、Ｓ  発生方向、Ｗ  流出方向、Ｗ１  流入方向、Ｗ２  流出方向
【図１】
2005142651.tif 000003
【図２】
2005142651.tif 000004
【図３】
2005142651.tif 000005
【図４】
2005142651.tif 000006
【図５】
2005142651.tif 000007
【図６】
2005142651.tif 000008
【図７】
2005142651.tif 000009
【図８】
2005142651.tif 000010